(57)【要約】【課題】流体の圧力及び流量を一つの装置で表示し、小型で、ショックに強く、ワンタッチ接続が可能で、天地・縦横の設置向きを限定しない、安価な圧力流量計を提供することである。【解決手段】両端に流体の流入口及び流出口を有する外筒ケース管、該外筒ケース管の内部に位置する内筒ケース管、受圧スプリングに固着された受圧板、フロースプリングに固着されたフロート、該外筒ケース管又は該外筒ケース管及び該内筒ケース管に形成された排出ポートよりなる圧力流量計。【選択図】  図１
2004226074.tif 000002
【特許請求の範囲】
【請求項１】
両端に流体の流入口及び流出口を有する外筒ケース管、該外筒ケース管の内部に位置する内筒ケース管、受圧スプリングに固着された受圧板、フロースプリングに固着されたフロート、該外筒ケース管又は該外筒ケース管及び該内筒ケース管に形成された排出ポートよりなることを特徴とした圧力流量計。
【請求項２】
受圧スプリングに固着された受圧板が内筒ケース管の内部に配置され、フロースプリングに固着されたフロートが外筒ケース管及び内筒ケース管の間に配置され、並びに、外筒ケース管の外部及び内筒ケース管の内部の間に流体が導通する排出ポートを形成したことを特徴とする請求項１に記載の圧力流量計。
【請求項３】
受圧スプリングに固着された受圧板が外筒ケース管及び内筒ケース管の間に配置され、フロースプリングに固着されたフロートが内筒ケース管の内部に配置され、並びに、外筒ケース管に流体が導通する排出ポートを形成したことを特徴とする請求項１に記載の圧力流量計。
【請求項４】
外筒ケース管の流体の流入口及び／又は流出口にワンタッチ配管接続機構を備えていることを特徴とする請求項１〜３のいずれかに記載の圧力流量計。
【発明の詳細な説明】
【０００１】
【発明の属する技術分野】
本発明に係る圧力流量計は、流体の正圧力若しくは負圧力並びに流量を簡易表示する圧力流量計に関する。
【０００２】
【従来技術】
従来よりブルドン管、ベローズ、ダイアフラム、等を用いた機械的な圧力計、シリコンダイアアラム、セラミック製ダイアフラム、半導体歪みゲージ、等を用いた電子式圧力計、また、差圧式流量計、ピトー管式流量計、面積式流量計、電磁流量計、超音波流量計、羽根車式流量計、等による流量計が多く提供されている。
【０００３】
【発明が解決しようとする課題】
機械的な圧力計は、形状が大きくなり、ショックに弱い、また、電子式圧力計は、小型化が可能で制御のための出力が容易に取り出すことが出来るものの価格面で高価になる、流量計においても形状が大きくなる、高価である、等の問題がある。そこで、小型で、ショックに強く、圧力計・流量計を兼ね備え、ワンタッチ接続が可能で、天地・縦横の設置向きを限定しない、安価な圧力流量計を提供することである。
【０００４】
【課題を解決するための手段】
両端に流体の流入口及び流出口を有する外筒ケース管、該外筒ケース管の内部に位置する内筒ケース管、受圧スプリングに固着された受圧板、フロースプリングに固着されたフロート、該外筒ケース管又は該外筒ケース管及び該内筒ケース管に形成された排出ポートよりなる圧力流量計であり、小型で、ショックに強く、圧力計・流量計を兼ね備え、ワンタッチ接続が可能で、天地・縦横の設置向きを限定しない、安価な圧力流量計を提供することができる。
【０００５】
本発明に係る圧力流量計は、両端に流体の流入口２及び流出口１を有する外筒ケース管４、該外筒ケース管４の内部に位置する内筒ケース管３、受圧スプリング７に固着された受圧板６、フロースプリング１７に固着されたフロート１６、該外筒ケース管４又は該外筒ケース管及び該内筒ケース管に形成された排出ポート５よりなるものである。
【０００６】
本発明に係る圧力流量計は、受圧スプリング７に固着された受圧板６が内筒ケース管３の内部に配置され、フロースプリング１７に固着されたフロート１６が外筒ケース管４及び内筒ケース管３の間に配置され、並びに、外筒ケース管４の外部及び内筒ケース管３の内部の間に流体が導通する排出ポート５を形成している。
【０００７】
本発明に係る圧力流量計は、受圧スプリング７に固着された受圧板６が外筒ケース管４及び内筒ケース管３の間に配置され、フロースプリング１７に固着されたフロート１６が内筒ケース管３の内部に配置され、並びに、外筒ケース管４に流体が導通する排出ポート５を形成している。
【０００８】
本発明に係る圧力流量計は、外筒ケース管の流体の流入口及び／または流出口にワンタッチ配管接続機構を備えている。
【０００９】
本発明に係る圧力流量計に関して、より詳細な説明を行うが、以下の記載に限定されるものではない。圧力流量計は、正圧または負圧の流体用であり液体、気体に使用することができ、特に好ましくは気体に使用することである。また、一実施態様を示す図においては説明のためにモデル化して示すものである。
【００１０】
圧力流量計の外筒ケース管４は、形状、材料、サイズ、等を特に限定するものでないが、流体の均一な流れを成させるために中空で内面が円柱状の形状であることが好ましく、外形サイズが５０ｍｍ以下特に３０ｍｍ以下であることが好ましく、圧力の表示状態を示す受圧板６及び流量の表示状態を示すフロート１６を目視することができる材料が好ましく例えばガラス製、アクリル樹脂製、等であり耐衝撃性に強いアクリル樹脂製が特に好ましい。また、該外筒ケース管の内面または外面に圧力値及び流量値の表示のための圧力値表示マーク１０及び流量表示マーク２０をプリント、ペイント、刻字、刻印、等ですることが好ましい。
【００１１】
圧力流量計の内筒ケース管３は、形状、材料、サイズ、等を特に限定するものでないが、前記外筒ケース管４の内部ほぼ中央に配置されるものであり、流体流れ１１、受圧板６の動き及びフロート１６の動き等を考慮して中空で内面外面共に円形柱状であり、受圧板６またはフロート１６を外部より目視することができる材料が好ましく例えばガラス製、アクリル樹脂製、等であり耐衝撃性のよいアクリル樹脂製が特に好ましい。
【００１２】
圧力値を表示する受圧板６は受圧スプリング７の端に固着されている。図１に示す一実施態様例の如く該受圧板は、内筒ケース管の内部に配置し該受圧スプリングの他の端が内筒ケース管の閉ざされた端面に固定され、該内筒ケース管の内面及び該受圧板の外周部が気密性を保持し流体圧９の圧力変化によりスムーズに摺動・可動することである。また、図２に示す一実施態様例の如く該受圧板は、該外筒ケース管及び該内筒ケース管の隙間１２に配置し該受圧スプリングの他の端が該隙間１２の閉ざされた端面に固定され、該外筒ケース管の内面及び該内筒ケース管の外面並びに該受圧板が気密性を保持し流体圧９の圧力変化によりスムーズに摺動・可動することである。
【００１３】
受圧スプリング７は、受圧板が受ける圧力とバランスして圧力値に比例し該受圧板が可動するためのものであり、均一な応力を有する伸縮自在なものであり特に限定するものでなく例えば金属によるスパイラル、ラバー、樹脂、磁石、等でよく特に金属ワイヤによるスパイラル状のスプリングが応力の均一性、耐久性、等で好ましい。
【００１４】
流量値を表示するフロート１６はフロートスプリング１７の端に固着されている。図１に示す一実施態様例の如く該フロートは、外筒ケース管及び内筒ケース管の間に配置し、該フロートスプリングの他の端が該外筒ケース管及び該内筒ケース管の開かれた端面に固定され、該外筒ケース管の内面及び該内筒ケース管の外面にほとんど接触することなく流体流れ１１の変化によりスムーズに可動する。また、図２に示す一実施態様例の如く該フロートは、内筒ケース管の内部に配置し、該フロートスプリングの他の端が該内筒ケース管の開かれた端面に固定され、該内筒ケース管の内面に接触することなく流体流れ１１の変化によりスムーズに可動する。
【００１５】
フロートスプリング１７は、材料、形状、等を特に限定するものでないが、伸縮自在でフロート１６が受ける流体の流量の変化に比例して伸縮するものが好ましい。特に金属ワイヤによるスパイラル状のスプリングであることが好ましい。
【００１６】
圧力流量計に形成される排出ポート５は、受圧板６及び閉じた側で閉じこめられた流体の圧力を外圧力流量計の外部の圧力と均衡させるための導通路である。
例えば、排出ポート５は、図１に示す一実施態様例の如く受圧板６，内筒ケース管の閉ざされた端面及び内筒ケース管３に閉じこめられた流体を外筒ケース管４の外部に導通させるものであり内筒ケース管及び外筒ケース管を突き抜けたものである。または、排出ポート５は、図２に示す一実施態様例の如く受圧板６、内筒ケース管、外筒ケース管及び隙間１２の閉ざされた端面に閉じこめられた流体を該外筒ケース管の外部に導通させるものである。閉じこめられた流体を外部流体の圧力と常に同一とし、受圧板が受けた圧力を受圧スプリングとのバランスで圧力値として表示する。
【００１７】
本発明に係る圧力流量計は、ワンタッチで配管接続ができるように外筒ケース管の流体の流出口１、流入口２にワンタッチ配管接続機構８を備えたものであり配管チューブの途中に簡単に挿入配管接続ができる。流入口２または流出口１の何れ側に供給配管または配送配管を接続することも可能であるが、好ましくは、正圧力の流体は、流入口２に供給配管を接続し流出口１に配送配管を接続することが、負圧力の流体は、流入口（流出口）２に負圧力（真空）供給配管を接続し流出口（流入口）１に負圧力配送配管を接続する。
【００１８】
このような構造配置を持つ本発明に係る圧力流量計は、小型で、ショックに強く、圧力計・流量計を兼ね備え、ワンタッチ接続が可能で、天地・縦横の設置向きを限定しない、安価に提供することができ、正圧力または負圧力の流体の流体圧９及び流体流れ１２の圧力値及び流量値を受圧板６及び圧力表示マーク１０並びにフロート１６及び流量表示マーク２０で表示することができる。
【００１９】
【実施例】
本発明に係る圧力流量計の一実施態様例を図により説明する。尚、本発明に係る圧力流量計は、実施例に限定されるものでない。
【００２０】
（実施例１）アクリル樹脂製の外径２５ｍｍ内径２３ｍｍの中空円柱形状の外筒ケース管４、該外筒ケース管４の側面に３ｍｍの丸穴を開け、該外筒ケース管４の外面に圧力値表示マーク１０及び流量表示マーク２０を刻印しカラーペイントを塗布して形成し、アクリル樹脂製の外径１１ｍｍ内径１０ｍｍの中空円柱形状の内筒ケース管３、該内筒ケース管３の側面に３ｍｍの丸穴を開け（前記外筒ケース管の丸穴と組み立てて一致する位置）、該内筒ケース管３の中央から偏った丸穴側の開口部を密封状に閉じる蓋体を接着剤にて接着封止し、アルミニューム製の外径１０ｍｍの円盤状で内筒ケース管の内部で流体のリークがなくスムーズに摺動・可動する受圧板６、該受圧板６に外径０．３ｍｍの金属ワイヤによるスパイラル状の受圧スプリング７をカシメ固定し、該受圧スプリング７の他の端を前記内筒ケース管の端部を接着封止した蓋体の内部側に固定し、アルミニューム製で外径２１ｍｍ内径１３ｍｍのドーナツ型の円盤状で外筒ケース管及び内筒ケース管の間でスムーズに可動するフロート１６、該フロート１６に外径０．２ｍｍの金属ワイヤによるスパイラル状のフロートスプリング１７をカシメ固定し、アクリル樹脂製の外径３ｍｍ内径１ｍｍの穴あきパイプである排出ポート５、ワンタッチ配管接続機構８（詳細な説明を省略、通常品）、及び、その他の部品（詳細を省略）を準備した。
【００２１】
準備した各々部品を図１の如く配置・組込し、フロートスプリング１７の他の端を外筒ケース管及び内筒ケース管の間で流出口側に固定し、排出ポート５を外筒ケース管及び内筒ケース管の穴に挿通して接着固定し、流出口及び流入口にワンタッチ配管接続機構を組み込みし、長さが約６０ｍｍの圧力流量計を製作した。
【００２２】
このように製作した圧力流量計は、流体の圧力及び流量並びに受圧スプリング及びフロートスプリングが各々バランスして受圧板及びフロートの位置により圧力値及び流量値を示すものであり、小型であり、ショックに強く、ワンタッチ接続が可能で、スプリングによるバランスのため天地・縦横の設置向きを限定しない、安価なものである。
【００２３】
（実施例２）図２の如く実施例１に比較して受圧板６及びフロート１６の配置位置が内側・外側に逆であり、該フロート１６の中央部にガイド１３を配置し、排出ポート５が外筒ケース管４にのみ形成され、内筒ケース管の内部を流体流れ１１・外筒ケース管及び内筒ケース管の間に流体圧９となり、その他は、略実施例１と同様である圧力流量計を製作した。
【００２４】
このように製作した圧力流量計は、流体の圧力及び流量並びに受圧スプリング及びフロートスプリングが各々バランスして受圧板及びフロートの位置により圧力値及び流量値を示すものであり、小型であり、ショックに強く、ワンタッチ接続が可能で、天地・縦横の設置向きを限定しない、安価なものである。
【００２５】
【発明の効果】
本発明にかかる圧力流量計は、流体の圧力（正圧力、負圧力）及び流量の値を同時に示すものであり、スプリングの応力並びに圧力値及び流量値をバランスさせて表示する機構であり、スプリングによるバランスのため天地・縦横の設置向きを限定することなく、小型で、ショックに強く、ワンタッチ接続が可能で、安価なものである。
【図面の簡単な説明】
【図１】本発明に係る圧力流量計の一実施態様を示す図である。（ｂ）図は、（ａ）図のＫ−Ｋ’断面を示す図であり、（ｂ）図は、（ａ）図のＧ−Ｇ’断面を示す図である。
【図２】本発明に係る圧力流量計の一実施態様を示す図である。（ｂ）図は、（ａ）図のＪ−Ｊ’断面を示す図であり、（ｂ）図は、（ａ）図のＨ−Ｈ’断面を示す図である。
【符号の説明】
１    流出口（流入口）
２    流入口（流出口）
３    内筒ケース管
４    外筒ケース管
５    排出ポート
６    受圧板
７    受圧スプリング
８    ワンタッチ配管接続機構
９    流体圧
１０  圧力値表示マーク
１１  流体流れ
１２  隙間
１３  ガイド
１６  フロート
１７  フロートスプリング
２０  流量表示マーク
【図１】
2004226074.tif 000003
【図２】
2004226074.tif 000004